(57)【要約】【課題】簡素な構成で、聴衆向けの画像とプレゼンター向けの画像とを１つの記録資料に記録することができるとともに、これら画像をそれぞれ別個として聴衆およびプレゼンターに表示させることができる資料提示装置を提供する。【解決手段】資料Ｓに、必要に応じて隠蔽したい被隠蔽画像Ｓ２を赤外光吸収塗料によって記録し、この他に、可視光で視認される主画像Ｓ１も記録する。赤外光ライト２３で赤外光を資料Ｓに照射して資料Ｓを撮影し、撮影画像（主画像Ｓ１＋被隠蔽画像Ｓ２）をプレゼンター用モニタ３０に表示する。赤外光を照射せず、被隠蔽画像Ｓ２が隠蔽された撮影画像（主画像Ｓ１のみ）を聴衆向けのスクリーンに投影する。画像切換スイッチ４４を切り換えることによって、モニタ３０に表示されている撮影画像（主画像Ｓ１＋被隠蔽画像Ｓ２）を必要に応じてスクリーンに表示させることができる。【選択図】        図２
2004228806.tif 000002
【特許請求の範囲】
【請求項１】
隠蔽用記録手段によって記録され、必要に応じて隠蔽される被隠蔽画像を含む資料と、
この資料が載置される資料載置台と、
この資料載置台上に載置された前記資料を撮影する撮像部と、
この撮像部による撮影画像を前記被隠蔽画像が隠蔽された状態と開示された状態とに切り換える隠蔽／開示切換手段と、
前記撮像部の撮影画像が表示され、その表示画像が、前記被隠蔽画像が隠蔽されていない撮影画像とされるプレゼンター用モニタと、
画像が表示される表示装置への画像信号出力手段と、
この表示装置に出力する画像を、前記隠蔽／開示切換手段により被隠蔽画像が隠蔽された撮影画像か、被隠蔽画像が開示された撮影画像かのいずれかに切り換える出力画像切換部と
を備えることを特徴とする資料提示装置。
【請求項２】
前記隠蔽用記録手段は赤外光吸収塗料であり、前記隠蔽／開示切換手段は、資料照明用照明光の赤外光成分比率変化と、前記撮像部の撮影光路に対して挿脱される赤外光透過フィルタとのうちの少なくとも１つであることを特徴とする請求項１に記載の資料提示装置。
【請求項３】
前記隠蔽用記録手段は特定色であり、前記隠蔽／開示切換手段は、該特定色と同色で、前記撮像部の撮影光路に対して挿脱される光学フィルタであることを特徴とする請求項１に記載の資料提示装置。
【請求項４】
前記隠蔽用記録手段は特定色であり、前記隠蔽／開示切換手段は、前記撮像部が撮影した撮影画像の画像信号から該特定色の色信号を除去したり残したりする色信号選別手段であることを特徴とする請求項１に記載の資料提示装置。
【請求項５】
前記資料載置台および／または前記プレゼンター用モニタに仮想スクリーンが設定されるとともに、この仮想スクリーンに対してポインティングするための指示マークを備え、前記撮像部で撮影された指示マークの仮想スクリーン上での座標に対応する前記表示装置の画像の座標に所定のポイント画像を合成するポインタ機能を有することを特徴とする請求項１〜４のいずれかに記載の資料提示装置。
【発明の詳細な説明】
【０００１】
【発明の属する技術分野】
本発明は、原稿や写真等の資料を撮影し、その撮影画像をＣＲＴや液晶ディスプレイ等のモニタやスクリーン等に表示させる資料提示装置に関する。
【０００２】
【従来の技術】
スクリーン等に上記のような資料の画像を表示しながら、講演や商品の説明、あるいは授業等を行うにあたり（この種のパフォーマンスをここではプレゼンテーションと称する）、近年では資料提示装置が用いられている。資料提示装置は、一般に、資料を置く資料載置台、資料を被写体とする動画用のカメラ、資料を照明するランプ等を有しており、資料載置台に置いた資料がカメラで撮影される。カメラの撮影画像すなわち資料画像は、例えば液晶プロジェクタへ出力され、その場合には液晶プロジェクタからスクリーンに投影され、その画像を聴衆に表示しながらプレゼンターが資料の説明を行う。
【０００３】
プレゼンテーションを行うにあたり、プレゼンターは資料を説明するためのメモや原稿等を資料とは別に用意し、これを見ながら、表示される資料画像を説明する場合が多い。しかしながらこのような方法はプレゼンターにとって負担になるとともに、不注意でメモや原稿等の順番が表示画像のそれと異なってしまい混乱を招くおそれがあった。そこで本出願人は、特願２００２−１７７０３８で、聴衆向けのスクリーンとプレゼンターが視認するディスプレイの２系統に、カメラによる撮影画像と、記憶部の画像またはパソコン等の外部装置の画像を出力できるようにするとともに、例えば、スクリーンに映る外部装置からの資料画像のページ送りに連動して、資料画像に関する説明用のメモの画像がディスプレイに表示されるようにし、ディスプレイを見ながら、スクリーンに映る資料画像を説明することができるシステムを提案した。
【０００４】
【発明が解決しようとする課題】
ところが、上記の提案では、結局のところ資料の他に説明用のメモは作成せねばならず、しかも、これら２種類の画像が連動するように登録する作業も必要となってくるので、実際にプレゼンテーションを行う時には便利であるものの、準備作業が煩雑であるといった問題を有している。また、システムの構成が複雑になり、安価に製造しにくいといった欠点もある。
【０００５】
よって本発明は、簡素な構成で、１つの資料に聴衆向けの画像とプレゼンター向けの画像とを記録することができるとともに、これら画像をそれぞれ別個として聴衆およびプレゼンターに表示させることができる資料提示装置を提供することを目的としている。
【０００６】
【課題を解決するための手段】
本発明は、隠蔽用記録手段によって記録され、必要に応じて隠蔽される被隠蔽画像を含む資料と、この資料が載置される資料載置台と、この資料載置台上に載置された資料を撮影する撮像部と、この撮像部による撮影画像を被隠蔽画像が隠蔽された状態と開示された状態とに切り換える隠蔽／開示切換手段と、撮像部の撮影画像が表示され、その表示画像が、被隠蔽画像が隠蔽されていない撮影画像とされるプレゼンター用モニタと、画像が表示される表示装置への画像信号出力手段と、この表示装置に出力する画像を、隠蔽／開示切換手段により被隠蔽画像が隠蔽された撮影画像か、被隠蔽画像が隠蔽されていない撮影画像かのいずれかに切り換える出力画像切換部とを備えることを特徴としている。
【０００７】
本発明の資料提示装置は、資料載置台に置かれた資料を撮像部が撮影し、その撮影画像は、プレゼンター用モニタと、表示装置に出力される。ここで言う表示装置とは、聴衆向けのものであって、スクリーンに画像を投影するプロジェクタやスクリーン、ＣＲＴ、液晶等のディスプレイが挙げられる。資料には、聴衆にとっては必要としないか、あるいは場合によっては必要とする被隠蔽画像（上記の説明メモ等）が、隠蔽用記録手段によって記録される。資料には被隠蔽画像の他に、聴衆とプレゼンターの双方に表示すべき画像（上記の資料画像等、ここでは主画像と称する）も記録される。
【０００８】
撮像部による撮影画像は、隠蔽／開示切換手段によって、被隠蔽画像が隠蔽されて主画像のみが映った状態と、被隠蔽画像が開示されて主画像と被隠蔽画像の両者が映った状態のいずれかに切り換えられる。プレゼンター用モニタには、被隠蔽画像が開示された撮影画像（主画像＋被隠蔽画像）が表示される。一方、表示装置には、撮像部による撮影画像が表示されるが、出力画像切換部によって、被隠蔽画像が開示された画像（主画像＋被隠蔽画像）か、隠蔽された画像（主画像のみ）かのいずれかに切り換えることができる。よって本発明の資料提示装置によれば、聴衆向けの画像とプレゼンター向けの画像とを別個に用意することなく１つの資料に記録することができるとともに、これら画像を表示装置とプレゼンター用モニタとに分けて別々に表示させることができる。また、資料の撮影画像を被隠蔽画像が開示されたものか否かに切り換える隠蔽／開示切換手段と、表示装置に出力する撮影画像を選択する出力画像切換部とを具備させ、しかも資料は１つで賄うことができるので、比較的簡素に構成することができる。
【０００９】
資料に被隠蔽画像を記録するための隠蔽用記録手段と隠蔽／開示切換手段との組み合わせは種々考えられるが、赤外光吸収塗料と、資料照明用照明光の赤外光成分比率変化および前記撮像部の撮影光路に対して挿脱される赤外光透過フィルタのうちの少なくとも１つとの組み合わせが挙げられる。隠蔽／開示切換手段が資料照明用照明光の赤外光成分比率の場合には、該比率を大きくすれば赤外光吸収塗料による被隠蔽画像は撮影されて開示され、小さくすれば撮影されず撮影画像は主画像のみとなる。隠蔽／開示切換手段が赤外光透過フィルタの場合には、このフィルタを撮影光路から外すと赤外光吸収塗料による被隠蔽画像は撮影されず隠蔽された状態となり、撮影光路中に挿入すると赤外光吸収塗料で記録された被隠蔽画像は撮影され、開示される。例えば、この画像を一旦記憶させた後に主画像に合成させることによって、「主画像＋被隠蔽画像」をプレゼンター用モニタに表示させることができる。
【００１０】
他の隠蔽用記録手段としては特定色による記録が挙げられ、この場合、隠蔽／開示切換手段は、特定色と同色で撮像部の撮影光路に対して挿脱される光学フィルタか、あるいは撮像部が撮影した撮影画像の画像信号から該特定色の色信号を除去したり残したりする色信号選別手段が用いられる。特定色を、例えば赤色とすると、赤色インク等で資料に記録した画像が被隠蔽画像となる。隠蔽／開示切換手段として光学フィルタを用いる場合には赤色の光学フィルタが用いられる。この赤色フィルタを撮像部の撮影光路に対し挿脱自在に設け、撮像部の撮影光路中に挿入すると、撮影画像は赤色フィルタによって赤色の被隠蔽画像が隠蔽され、主画像のみが映る。また、赤色フィルタを撮像部の撮影光路から外すと、赤色の被隠蔽画像も映る。
【００１１】
色信号選別手段は、撮影画像の画像信号から特定色の色信号を除去したり残したりするものである。特定色としては、色信号であるＲ（赤）・Ｇ（緑）・Ｂ（青）から選択されるが、Ｒが最も好適である。特定色を赤色とした場合、撮影画像の画像信号（ＲＧＢ信号）からＲ信号が除去されるとＧおよびＢの信号を含む画像、すなわち被隠蔽画像が除去された主画像のみが映る。そして、Ｒ信号を除去せず残すと全ての色信号により撮影画像が表示されるので、赤色の被隠蔽画像が開示される。
【００１２】
本発明では、資料載置台および／またはプレゼンター用モニタに仮想スクリーンが設定されるとともに、この仮想スクリーンに対してポインティングするための指示マークを備え、撮像部で撮影された指示マークの仮想スクリーン上での座標に対応する表示装置の画像の座標に所定のポイント画像を合成するポインタ機能を有する形態を含む。ポイント画像は画像処理によって形成され、例えば資料のある部分を特定する矢印が一般的であるが、この他に、線、手の形、円等、様々な形状に表示することができ、さらに、ポイント座標の動きをつないで描画することも可能である。
【００１３】
【発明の実施の形態】
（１）第１実施形態
以下、図面を参照して本発明の第１実施形態を説明する。
図１は第１実施形態に係るプレゼンテーション用の資料提示装置を示しており、図２は該装置の構成ならびに機能を系統的に現したブロック図である。図１に示すように、本実施形態の資料提示装置は、上面に資料Ｓが置かれる資料載置台１０と、この資料載置台１０にアーム１１を介して支持された撮像部２０と、プレゼンター用のモニタ３０とを備えており、さらに資料載置台１０に置かれる資料Ｓを照明する図示せぬランプを有している。アーム１１は、資料載置台１０の左奥端部から立設された支柱部１１ａの上端にＬ字状の水平部１１ｂが固定されたもので、水平部１１ｂの先端は資料載置台１０のほぼ中央上方に位置しており、その先端に、撮像部２０が取り付けられている。
【００１４】
モニタ３０は、ヒンジ３１を介して資料載置台１０の奥端部に開閉自在に取り付けられており、図１に示す開いた状態で、画面が前方を向き、プレゼンターがその画面を視認する。モニタ３０の開き角度は手動で適宜に調整できるようになっている。
【００１５】
撮像部２０は、図２に示すように、カメラ２１、光学フィルタ２２および赤外光ライト２３からなるもので、被写体方向が下方の資料載置台１０に向いてセットされている。光学フィルタ２２は、不可視光である赤外光のみを撮影可能とするもので、カメラ２１の撮影光路に対して挿脱自在にセットされている。また、赤外光ライト２３は赤外光を含む光を被写体に向けて照射するものである。カメラ２１は、ズーム機構およびオートフォーカス機能を備えている。図２に示すように、撮像部２０の撮影画像は制御部４０に入力されて処理され、資料載置台１０に内蔵された制御部４０の出力端子（画像信号出力手段）に接続された液晶プロジェクタ５０および上記モニタ３０に出力される。液晶プロジェクタ５０からは、撮影画像が図示せぬスクリーンに投影される。なお、撮像部２０は、モニタ３０の画面も撮影できるように、アーム１１に回動自在に装着されていても良い。
【００１６】
図１の６０は、プレゼンターが手に持って使用するポインティング用のライトペンである。このライトペン６０の先端部には、ＬＥＤ等で構成され、図示せぬスイッチを押すことによって赤外光が発光する発光部（指示マーク）６１が設けられている。発光部６１の発光は、上記光学フィルタ２２を透過する不可視光である。プレゼンターは資料Ｓ中の指示したい部分にライトペン６０の発光部６１を当てて発光させ、これによってスクリーンに映る画像中の同じ位置にポイント画像が映るポインティングを行うことができる。このポインタ機能は、制御部４０によりなされる。なお、発光部６１を発光させるスイッチとしては、発光部６１を押し付けると発光する押圧スイッチでもよい。
【００１７】
さて、この場合の資料Ｓには、主画像と被隠蔽画像とが記録される。主画像は、聴衆とプレゼンターの双方に表示すべき画像であり、プリンタや手書き等の可視光で視認される通常の記録手段で記録される。被隠蔽画像は、聴衆にとっては必要とせずプレゼンターのみに必要であったり、場合によっては聴衆にも必要であったりする画像であり、透明な赤外光吸収塗料（隠蔽用記録手段）によって記録される。赤外光吸収塗料により記録されたこの被隠蔽画像は、赤外光ライト２３が照射されると赤外光を吸収し、赤外光吸収塗料のない部分は赤外光を反射するので、光学フィルタ２２を通して撮影すると、撮影された画面内では赤外光吸収塗料を塗った部分が黒く、塗ってない部分が白くなって像が映し出される。主画像および被隠蔽画像は、プレゼンテーションの内容によって様々なものが考えられるが、例えば主画像は聴衆に発表する文字や表、写真といった資料類であり、被隠蔽画像はそれらを説明するためにプレゼンターが参照する説明メモといった場合が挙げられる。また、例えば数学の教育授業で、主画像が問題となる数式、被隠蔽画像がその解答といった場合も想定される。
【００１８】
上記制御部４０は、例えば資料載置台１０に内蔵されており、以下に、この制御部４０による制御内容を図２を参照して説明する。
ａ．撮影画像の取り込み
撮像部２０によって撮影された資料Ｓの撮影画像は制御部４０に取り込まれるが、撮影画像は、赤外光ライト２３を消灯して赤外光を照射せず、かつ光学フィルタ２２をカメラ２１の撮影光路から外した「可視光状態での撮影画像」と、赤外光ライト２３を点灯して赤外光を照射し、かつ光学フィルタ２２をカメラ２１の撮影光路中に挿入したときの「赤外光照射状態での撮影画像」との２種類がある。
【００１９】
可視光状態での撮影画像（図２のＡで示す）は、赤外光が照射されていないから上記被隠蔽画像は映らず上記主画像のみが映ったものとなる。また、赤外光照射状態での撮影画像（図２のＢで示す）は、赤外光が照射され、かつ光学フィルタ２２が挿入されていることにより、被隠蔽画像が撮影される。このとき、主画像用のインクの種類により、赤外光の吸収率が大きい場合には、主画像も撮影される。本実施例（多くの場合）では、黒インクは赤外光を吸収するがその吸収率は赤外光吸収塗料よりも小さいものとする。したがって、主画像の中の黒インクで描かれた部分は赤外光吸収塗料で描かれた部分よりも薄く映るものとする。撮影画像Ａは第１画像合成部４１に入力され、ここで静止画像に処理される。次いで撮影画像Ａは画像出力部４３から第２画像合成部４２と画像切換スイッチ（出力画像切換部）４４とに出力される。
【００２０】
一方、撮影画像Ｂは記憶部４５に入力され、静止画像として第２画像合成部４２に入力される。第２画像合成部４２では撮影画像Ａ，Ｂが合成され、その合成画像Ａ＋Ｂは、モニタ３０と画像切換スイッチ４４とに出力される。画像切換スイッチ４４には液晶プロジェクタ５０が接続されており、この画像切換スイッチ４４により、液晶プロジェクタ５０に出力する画像が、画像出力部４３から直接出力される撮影画像Ａか、第２画像合成部４２で合成された合成画像Ａ＋Ｂかのいずれかに切り換えられる。この画像切換スイッチ４４は、例えば資料載置台１０の適宜な箇所に配置されている。
【００２１】
ｂ．ライトペンを用いたポインタ機能
本実施形態では、上述したように、液晶プロジェクタ５０からスクリーンに投影される画像にライトペン６０によってポイント画像を映すポインティングを行うことができる。それには、一般的な画像処理方式により、撮像部２０で撮影される資料載置台１０上の撮影範囲に、仮想スクリーンのＸＹ座標を予め生成しておく。仮想スクリーンの生成法としては、例えば、撮影範囲の画面の四隅に配した赤外光の発光点を、光学フィルタ２２がカメラ２１の撮影光路中に挿入された撮像部２０により撮影し、その画像データから各発光点の位置を認識し、これに基づいて撮影範囲にＸＹ座標を生成するといった方法が挙げられる。
【００２２】
ポイント画像は次のようにしてスクリーンに生成される。撮像部２０をライトペン（指示マーク）撮影状態（光学フィルタ２２挿入、赤外光ライト２３消灯）とし、仮想スクリーン上、すなわち資料載置台１０上の撮影範囲で、発光させたライトペン６０の発光部６１を任意の位置に当てたり移動させたりする。ライトペン６０の発光部６１の位置は撮像部２０で撮影され、その画像データに基づき、座標生成部４６において仮想スクリーンの座標上での発光部６１の座標が逐一算出される。そして、画像データと発光部６１の座標データが処理され、算出された発光部６１の座標にポイント画像生成部４７でポイント画像（図２のＰで示す）が生成される。このポイント画像Ｐは第１画像合成部４１に入力され、ここで上記撮影画像Ａと合成される。
【００２３】
第１画像合成部４１で合成された合成画像Ａ＋Ｐは、画像出力部４３から第２画像合成部４２と画像切換スイッチ４４とに出力される。第２画像合成部４２では撮影画像Ｂと合成画像Ａ＋Ｐとが合成され、その合成画像Ａ＋Ｂ＋Ｐはモニタと画像切換スイッチ（出力画像切換部）４４とに出力される。
【００２４】
ライトペン６０を用いてポインティングする場合において、画像切換スイッチ４４が画像出力部４３側に接続されていると、合成画像Ａ＋Ｐがスクリーンに映る。また、画像切換スイッチ４４が第２画像合成部４２側に切り換えられると、モニタ３０に表示される画像と同様の合成画像Ａ＋Ｂ＋Ｐがスクリーンに投影される。なお、以下の説明での画像切換スイッチ４４の位置は、画像出力部４３側を隠蔽側、第２画像合成部４２側を公開側と称する。
【００２５】
次に、上記資料提示装置の作用を具体的に説明する。
図３（ａ）は、用いる資料Ｓの具体例であって、この資料Ｓには、通常のプリンタによって「１．データ」、「２．構成」の文字と、構成を示す図面Ｍがプリントされている。これらプリント画像は可視光で視認されるものであり、文字は黒色で、図面Ｍは黒色および赤色以外の色で記録されている。これらをここでは一括して主画像Ｓ１とする。また、資料Ｓには、「１．データ」の右横に「データの詳細文」が、また、「２．構成」の右横に「構成の説明文」が、それぞれ赤外光吸収塗料によって記録されている。これら「データの詳細文」および「構成の説明文」の画像は、可視光では透明な赤外光吸収塗料で記録されているから、図示はしたものの可視光のもとでは実際には視認できないものであり、これらの画像を、ここでは一括して被隠蔽画像Ｓ２とする。
【００２６】
上記資料Ｓを用いてプレゼンテーションを行う動作例を、図２〜図５を参照して説明する。資料Ｓを資料載置台１０上に置き、さらに、はじめは被隠蔽画像Ｓ２を聴衆には表示しないことから、図２に示すように画像切換スイッチ４４を隠蔽側にしておく。次いで、資料Ｓを、撮像部２０で可視光撮影、すなわち赤外光ライト２３による赤外光の照射はせず、光学フィルタ２２をカメラ２１の撮影光路から外した状態で撮影する（図４：ステップＳ１０１）。可視光撮影では、図３（ｂ）の撮影画像Ａに示すように、被隠蔽画像Ｓ２は映らず主画像Ｓ１のみが映ったものとなり、この撮影画像Ａは、図２に示すように制御部４０の第１画像合成部４１に入力され、ここで静止画像に処理される。撮影画像Ａは、画像出力部４３から第２画像合成部４２と画像切換スイッチ４４とに出力される。画像切換スイッチ４４は、図２に示すように隠蔽側にセットされているから、撮影画像Ａが液晶プロジェクタ５０へ出力され、スクリーンに投影される。
【００２７】
続いて、赤外光ライト２３を照射し、光学フィルタ２２をカメラ２１の撮影光路中に挿入した状態の撮像部２０で、資料Ｓを撮影する（図４：ステップＳ１０２）。このときの撮影画像は、図３（ｂ）の撮影画像Ｂに示すように、主画像Ｓ１のうちの黒文字（１．データ  ２．構成）と、被隠蔽画像Ｓ２が映り、主画像Ｓ１の図面Ｍは映っていないものとなる。ここでは黒文字を表記する黒インクは赤外線もある程度吸収するものを想定しているので、黒文字も被隠蔽画像よりも薄くなってはいるが映されている。被隠蔽画像Ｓ２は赤外光ライト２３で照明され、光学フィルタ２２が撮影光路に挿入されているのでコントラストの高い像として映される。黒色以外の色でプリントされている図面Ｍの部分は、赤外光を反射するので何も描かれていない紙面と同じであり、映らない。撮影画像Ｂは記憶部４５に入力され、ここで、被隠蔽画像Ｓ２を黒色とし、他の部分を白色とする画像の二値化処理を行い、この二値化した撮影画像Ｂを静止画像に処理する（図４：ステップＳ１０３）。二値化処理により、被隠蔽画像Ｓ２のみが明確に映った画像に処理される。次に、二値化されて静止画像に処理された撮影画像Ｂは、第２画像合成部４２に入力される。第２画像合成部４２では撮影画像Ａ，Ｂが合成され（図４：ステップＳ１０４）、その合成画像Ａ＋Ｂがモニタ３０へ出力される。なお、この場合の画像合成は、二値化させた撮影画像Ｂの黒部分を撮影画像Ｂとして用い、黒以外の部分は撮影画像Ａを用いる。
【００２８】
以上により、聴衆が見るスクリーンには主画像Ｓ１のみが映った撮影画像Ａが表示され、モニタ３０には図３（ｂ）に示す合成画像Ａ＋Ｂが表示される。したがって、この時点で聴衆には「データの詳細文」や「構成の説明文」は判らず、一方、プレゼンターはモニタ３０によってこれらの被隠蔽画像Ｓ２を見ながらデータや構成を説明することができる。
【００２９】
上記の状態から、画像切換スイッチ４４を公開側に切り換えると、第２画像合成部４２で合成されている合成画像Ａ＋Ｂがスクリーンにも投影され、聴衆はこの合成画像Ａ＋Ｂを見ることになる。すなわち、聴衆は、今まで表示されていなかった被隠蔽画像Ｓ２である「データの詳細文」や「構成の説明文」を、この段階で見ることができる。
【００３０】
プレゼンターがライトペン６０によってスクリーンに映る画像にポインティングを行う場合には、撮像部２０をライトペン撮影状態（赤外光ライト２３消灯、光学フィルタ２２挿入）として、発光させたライトペン６０の発光部６１を資料Ｓの所望の位置に当てたり移動させたりする。すると、図２に示したようにポイント画像Ｐは第１画像合成部４１に入力され、ここで撮影画像Ａと合成される。図５（ａ）はポイント画像Ｐの例を示しており、画像切換スイッチ４４が隠蔽側にある場合には、図５（ｂ）に示すように撮影画像Ａにポイント画像Ｐが合成された合成画像Ａ＋Ｐがスクリーンに投影される。また、画像切換スイッチ４４が公開側に切り換えられると、図５（ｃ）に示すように合成画像Ａ＋Ｐに撮影画像Ｂが合成された合成画像Ａ＋Ｂ＋Ｐがスクリーンに投影される。このようにプレゼンターはスクリーンに投影される画像が撮影画像Ａ（主画像Ｓ１のみ）、合成画像Ａ＋Ｂ（主画像Ｓ１＋被隠蔽画像Ｓ２）のいずれの場合も、ポインティングを行うことができる。
【００３１】
上記第１実施形態によれば、はじめはスクリーンに表示する主画像Ｓ１と、モニタ３０に常時表示するプレゼンター向けの主画像Ｓ１＋被隠蔽画像Ｓ２とを、別個に用意することなく１つの資料Ｓで賄うことができるとともに、これら２種の画像をスクリーンとモニタ３０とに分けて別々に表示させることができる。そして、スクリーンに映る画像を、画像切換スイッチ４４によって、主画像Ｓ１のみか、主画像Ｓ１＋被隠蔽画像Ｓ２のいずれかに瞬時に切り換えることができる。このため、プレゼンターにあっては、資料Ｓとは別に説明メモ等を作成する手間が省かれ、しかも、モニタ３０に表示される説明文を見ながら聴衆に表示した資料Ｓの内容を説明することができるので、プレゼンテーションを円滑に進行させることができる。
【００３２】
また、装置の構成としては、撮像部２０に光学フィルタ２２および赤外光ライト２３を具備させ、制御部４０で画像を適宜に処理して画像切換スイッチ４４によりスクリーンに映る画像を切り換えるものであるから、例えば、パソコン等の画像生成装置を外付けして別の画像を取り込むといった必要がないので、比較的簡素に構成することができる。
【００３３】
上記第１実施形態では、被隠蔽画像Ｓ２を必要に応じて隠蔽したり表示したりする作用を、資料Ｓに記録する赤外光吸収塗料と、撮像部２０の赤外光ライト２３および光学フィルタ２２との組み合わせで達成しているが、この他の手段として、被隠蔽画像Ｓ２を特定色でプリントする第２および第３実施形態を、以下に説明する。
【００３４】
（２）第２実施形態
第２実施形態において資料に記録する被隠蔽画像は、上記第１実施形態の赤外光吸収塗料の代わりに、赤色のペンで書いたり赤色のインクでプリントしたりして赤色の画像（隠蔽用記録手段）とする。一方、撮像部２０には、赤外光ライト２３および光学フィルタ（赤外光透過フィルタ）２２の代わりに赤色フィルタ（隠蔽／開示切換手段）をカメラ２１の撮影光路に対して挿脱自在にセットする。
【００３５】
第２実施形態でのプレゼンテーションを行う動作例としては、図６に示すように、まず赤色フィルタをカメラ２１の撮影光路から外し、この状態の撮像部２０で資料を撮影する（図６：ステップＳ２０１）。このときの撮影画像は資料の画像そのままであって、図７に示す撮影画像Ｃ、すなわち、主画像Ｓ１＋被隠蔽画像Ｓ２である。この場合、撮影画像Ｃは記憶部４５、第２画像合成部４２を経てモニタ３０へ出力される。次いで、赤色フィルタをカメラ２１の撮影光路中に挿入し、この状態の撮像部２０で資料を撮影する（図６：ステップＳ２０２）。このときの撮影画像は、図７の撮影画像Ｄ、すなわち被隠蔽画像Ｓ２が隠蔽されて主画像Ｓ１のみが映った画像となる。これは、赤色フィルタによって赤色の被隠蔽画像Ｓ２が撮影されないからであり、撮影画像Ｄは、赤色フィルタによって全体が赤色を呈している（図７の撮影画像Ｄでは、その状態を多数のドットで示している）。
【００３６】
撮影画像Ｄは第１画像合成部４１に入力され、ここで画像データから赤色成分が削除される（ステップＳ２０３）。これによって撮影画像Ｄは、図７に示す黒白画像の撮影画像Ｄ’となり、この撮影画像Ｄ’は画像出力部４３へ出力され、画像切換スイッチ４４が隠蔽側である場合、液晶プロジェクタ５０へ出力されてスクリーンに投影される。すなわち、スクリーンを見る聴衆は主画像Ｓ１のみを見ることになる。
【００３７】
また、撮影画像Ｄ’は第２画像合成部４２で撮影画像Ｃと合成され、画像切換スイッチ４４が公開側に切り換えられると、合成画像Ｃ＋Ｄ’がスクリーンに投影され、聴衆は被隠蔽画像Ｓ２も見ることができる。この第２実施形態は、赤色で記録した被隠蔽画像Ｓ２を赤色フィルタによって隠蔽する例であるが、被隠蔽画像Ｓ２は赤色以外（勿論、主画像Ｓ１の黒色を除くことが前提であるが）の色で記録しても良く、その場合には赤色フィルタの代わりに被隠蔽画像Ｓ２と同色のフィルタを用いる。
【００３８】
（３）第３実施形態
第３実施形態において資料に記録する被隠蔽画像Ｓ２は、第２実施形態と同様に赤色の画像である。また、撮像部２０は、第１実施形態の赤外光ライト２３と赤外光透過の光学フィルタ２２、第２実施形態の赤色フィルタを備えてはいない。第３実施形態では、これらの代わりに、撮影画像の色信号であるＲＧＢ信号から必要に応じて被隠蔽画像Ｓ２と同色のＲ信号を除去したり残したりするＲ信号選別部（隠蔽／開示切換手段）を有している。このＲ信号選別部は、例えば制御部４０内の第１画像合成部４１に備えられる。
【００３９】
第３実施形態でのプレゼンテーションを行う動作例としては、図８に示すように、まずＲ信号選別部がＲ信号を除去せず残す状態とし、撮像部２０により資料を撮影する（図８：ステップＳ３０１）。このときの撮影画像は資料の画像そのままであって、図９の撮影画像Ｅ、すなわち、主画像Ｓ１＋被隠蔽画像Ｓ２である。この場合、撮影画像Ｅは記憶部４５、第２画像合成部４２を経てモニタ３０へ出力される。次いで、Ｒ信号選別部によりＲ信号を除去する状態で撮像部２０により資料を撮影する（図８：ステップＳ３０２）。このときの撮影画像は第１画像合成部４１に入力され、ここでＲ信号が除去される（図８：ステップＳ３０３）。その撮影画像は図９の撮影画像Ｆ、すなわち被隠蔽画像Ｓ２が隠蔽されて主画像Ｓ１のみが映った画像となる。これは、Ｒ信号が除去され、ＧおよびＢの信号を含む信号のみが出力されるからである。
【００４０】
撮影画像Ｅは画像出力部４３へ出力され、画像切換スイッチ４４が隠蔽側である場合、液晶プロジェクタ５０へ出力されてスクリーンに投影される。すなわち、スクリーンを見る聴衆は主画像Ｓ１のみを見ることになる。
【００４１】
また、撮影画像Ｆは第２画像合成部４２で撮影画像Ｅと合成され、画像切換スイッチ４４が公開側に切り換えられると、合成画像Ｅ＋Ｆがスクリーンに投影され、聴衆は被隠蔽画像Ｓ２も見ることができる。この第３実施形態は、赤色で記録した被隠蔽画像Ｓ２をＲ信号選別部によって隠蔽する例である。被隠蔽画像Ｓ２はＲＧＢのうちのＧ（緑）かＢ（青）の色で記録しても良く、その場合には、その色信号を除去するようにすれば良い。
【００４２】
上記第２および第３実施形態では、第１実施形態よりもさらに構成を簡素化することができ、被隠蔽画像Ｓ２も特定色で記録すればよいことから資料の作成もより簡単であるといった利点がある。また、第１実施形態と同様にしてライトペン６０によるポインティングを行うことができることは言うまでもない。
【００４３】
（４）第４実施形態
次に、本発明の第４実施形態を説明する。
第４実施形態では、上記制御部４０に記憶させた複数の資料画像の中から、１つの資料画像を、撮像部２０で撮影したバーコードで呼び出し、その資料画像をスクリーンに投影させるものである。画像呼び出し用のバーコードは、資料画像に対応する固有情報として制御部４０が認識し、資料画像はこのバーコードにリンクして登録される。バーコードは聴衆にとっては不要であり、かつ、プレゼンターには視認されるべきものであるから、モニタ３０のみに表示される。
【００４４】
この場合の撮像部２０は、上記第１実施形態と同様に、カメラ２１、光学フィルタ２２および赤外光ライト２３からなるものとする。図１０はバーコードシート７０であり、このバーコードシート７０には、複数のバーコード７１が赤外光吸収塗料で記録されている。制御部４０に各バーコード７１を認識させるには、資料載置台１０に置いたバーコードシート７０を、赤外光ライト２３によって赤外光を照射し、かつ光学フィルタ２２をカメラ２１の撮影光路中に挿入した状態の撮像部２０で撮影する。各バーコード７１は撮像部２０で撮影され、画像データが保存される。
【００４５】
引き続き同じ撮影状態を保持し、次のようにしてバーコード７１と資料画像をリンクさせて登録する。撮像部２０の赤外光ライト２３を消灯し、光学フィルタ２２は撮影光路内に挿入してライトペン撮影状態に設定し、モニタ３０に表示されるバーコードシート７０を見ながら、１つのバーコード７１をライトペン６０の発光部６１で指示する。制御部４０は、発光部６１の周辺の画像データからバーコード７１を認識してコード変換し、１つの固有情報として認識する。次いで、可視光撮影、すなわち赤外光ライト２３は消灯したまま光学フィルタ２２をカメラ２１の撮影光路から外した状態で、資料を撮影し、この撮影画像と、先ほど認識したバーコード７１とをリンクさせて登録する。以上の登録作業を、バーコード７１と資料の１組ごとに行う。
【００４６】
プレゼンテーションに際しては、最初にバーコードシート７０を赤外光照射状態の撮像部２０で撮影して保存する。次に、撮像部２０はライトペン撮影状態に、また、プレゼンター用モニタ３０には保存されたバーコードシート７０の画像とライトペン６０で指示されるポイントを合成して表示する状態にセットして、プレゼンターは、この画像が表示されるモニタ３０を見ながら、バーコードシート７０のバーコード７１をライトペン６０の発光部６１で指示する。すると、そのバーコード７１にリンクする資料画像がスクリーンに投影される。赤外光吸収塗料で記録されたバーコード７１は可視光では見えないが、モニタ３０には表示されるので、そのモニタ３０を見ながらバーコード７１の位置が容易に判り、指示することができる。
【００４７】
【発明の効果】
以上説明したように、本発明によれば、簡素な構成で、聴衆向けの画像とプレゼンター向けの画像とを１つの記録媒体に記録することができるとともに、これら画像をそれぞれ別個として聴衆およびプレゼンターに表示させることができ、その結果、プレゼンターへの負担の軽減および円滑なプレゼンテーションの進行が図られるといった効果を奏する。
【図面の簡単な説明】
【図１】本発明の第１実施形態に係る資料提示装置の斜視図である。
【図２】資料提示装置の構成ならびに機能を系統的に現したブロック図である。
【図３】（ａ）は資料、（ｂ）は資料の各種撮影画像である。
【図４】第１実施形態の動作例を示すフローチャートである。
【図５】（ａ）はポイント画像、（ｂ），（ｃ）はポイント画像を含む各種撮影画像である。
【図６】本発明に係る第２実施形態の動作例を示すフローチャートである。
【図７】第２実施形態の資料の各種撮影画像である。
【図８】本発明に係る第３実施形態の動作例を示すフローチャートである。
【図９】第３実施形態の資料の各種撮影画像である。
【図１０】本発明の第４実施形態に用いるバーコードシートである。
【符号の説明】
１０…資料載置台、２０…撮像部、２１…カメラ、２２…光学フィルタ、
２３…赤外光ライト、３０…プレゼンター用モニタ、
４４…画像切換スイッチ（出力画像切換部）、５０…液晶プロジェクタ、
６１…ライトペンの発光部（指示マーク）、Ｓ…資料、Ｓ１…主画像、
Ｓ２…被隠蔽画像。
【図１】
2004228806.tif 000003
【図２】
2004228806.tif 000004
【図３】
2004228806.tif 000005
【図４】
2004228806.tif 000006
【図５】
2004228806.tif 000007
【図６】
2004228806.tif 000008
【図７】
2004228806.tif 000009
【図８】
2004228806.tif 000010
【図９】
2004228806.tif 000011
【図１０】
2004228806.tif 000012